(57)【特許請求の範囲】
【請求項１】
通信機器と、
前記通信機器と当該通信機器が取り付けられる取付対象物との間に設けられ、当該通信機器を懸下させることで、当該通信機器の重さを支える懸下手段と、を備え、
前記懸下手段は、
前記通信機器に、当該通信機器の天頂側に張り出すように固定される機器側部材と、
前記通信機器を取り付ける前記取付対象物に固定される対象物側部材と、を有し、
前記通信機器に固定された前記機器側部材の天頂側に張り出した部分において、前記取付対象物に固定された前記対象物側部材に対して懸下させることで、当該通信機器の重さを支えることを特徴とする通信装置。
【請求項２】
前記懸下手段は、前記機器側部材と前記対象物側部材とのいずれか一方が鉤状突起を有し、当該機器側部材と当該対象物側部材とのいずれか他方が当該鉤状突起を引っ掛けられる開口を有することを特徴とする請求項１に記載の通信装置。
【請求項３】
前記通信機器と当該通信機器が取り付けられる取付対象物との間に設けられ、当該通信機器を懸下させることで、当該通信機器の重さを支える他の懸下手段を、さらに備え、
前記他の懸下手段は、
前記通信機器に、当該通信機器の地上側に張り出すように固定される他の機器側部材と、
前記通信機器を取り付ける前記取付対象物に固定される他の対象物側部材と、を有し、
前記通信機器に固定された前記他の機器側部材の地上側に張り出した部分において、前記取付対象物に固定された前記他の対象物側部材に対して懸下させることで、当該通信機器の重さを支えることを特徴とする請求項１又は２に記載の通信装置。
【請求項４】
前記他の懸架手段は、前記機器側部材と前記対象物側部材とのいずれか一方が地上側に向いた鉤状突起を有し、当該機器側部材と当該対象物側部材とのいずれか他方が当該鉤状突起を引っ掛けられる開口を有することを特徴とする請求項３に記載の通信装置。
【請求項５】
通信機器の天頂側に張り出すように固定される機器側部材と、
前記通信機器を取り付ける取付対象物に固定される対象物側部材と、を備え、
前記通信機器に固定された前記機器側部材の天頂側に張り出した部分において、前記取付対象物に固定された前記対象物側部材に対して引っ掛けることで、当該通信機器の重さを支えることを特徴とする通信機器取付部材。
【請求項６】
前記機器側部材と前記対象物側部材のいずれか一方は、突起を有し、
前記機器側部材と前記対象物側部材のいずれか他方は、前記突起に引っ掛けられる開口を有する
ことを特徴とする請求項５に記載の通信機器取付部材。
【請求項７】
前記機器側部材と前記対象物側部材とのいずれか一方の前記突起を有する部材は、金属板で構成され、当該突起は、当該金属板を折り曲げることで構成されていることを特徴とする請求項６に記載の通信機器取付部材。
【請求項８】
前記機器側部材は、前記対象物側部材と接する部分に、ボルトが貫通するボルト穴をさらに備え、
前記対象物側部材は、前記機器側部材の前記ボルトが貫通する他のボルト穴をさらに備えるとともに、当該ボルトに対応するナットが、当該他のボルト穴の周りに固着されていることを特徴とする請求項５乃至７のいずれか１項に記載の通信機器取付部材。
【請求項９】
前記機器側部材は、前記取付対象物から前記通信機器が離れる方向に屈曲していることを特徴とする請求項５乃至８のいずれか１項に記載の通信機器取付部材。
【発明の詳細な説明】
【技術分野】
【０００１】
本発明は、通信装置及び通信機器取付部材に関する。
【背景技術】
【０００２】
電波を送受信するアンテナやアンテナが送受信する信号の位相を調整する移相器などの通信機器は、屋外に設けられた鋼管柱などの柱やビルなどの壁に設置されることがある。
この場合、通信機器を柱や壁に取り付けるために、通信機器と柱や壁との間に取付部材（取付金具）が用いられている。
【０００３】
特許文献１には、前方側に形成した係止部とこの係止部の後方側において折曲形成された折曲板部とを供えた取付アングルと，当該取付アングルと前記アンテナマストとの間に位置した受金具と，前記アンテナマストに添着して，当該アンテナマストを前記受金具と挟持する挟持片と，前記取付アングル，前記受金具及び前記挟持片の両端部にそれぞれ挿通され，前記挟持片を前記受金具に近接するよう抑制するための各別の螺子棒とこれら螺子棒に螺合するナットとからなり，前記折曲板部はアンテナ反射器を支持する反射器支持杆と固着すると共に，前記受金具とも固着する。係止部に爪部を立設させ，係止部とアンテナ支持杆とを，アンテナ支持杆に設けた係止孔と嵌合させて取付けるアンテナマスト取付金具が記載されている。
【先行技術文献】
【特許文献】
【０００４】
【特許文献１】特開２００５−２６９２５２号公報
【発明の概要】
【発明が解決しようとする課題】
【０００５】
ところで、アンテナや移相器などの通信機器を柱や壁面に設置する作業は、通信機器を支える作業者と、柱や壁にボルトなどで固定する作業者とで行われることが多い。
この際、通信機器の重量が大きい場合や設置場所が高所や狭所である場合には、多数の作業者を必要としたり、作業時間が増加したりして、作業負荷が大きくなってしまう。そこで、通信機器の設置における作業負荷の軽減が求められている。
本発明の目的は、通信機器の設置における作業負荷が軽減できる通信装置及び通信機器取付部材を提供することにある。
【課題を解決するための手段】
【０００６】
かかる目的のもと、本発明が適用される通信装置は、通信機器と、通信機器と通信機器が取り付けられる取付対象物との間に設けられ、通信機器を懸下させることで、通信機器の重さを支える懸下手段と、を備え、懸下手段は、通信機器に、通信機器の天頂側に張り出すように固定される機器側部材と、通信機器を取り付ける取付対象物に固定される対象物側部材と、を有し、通信機器に固定された機器側部材の天頂側に張り出した部分において、取付対象物に固定された対象物側部材に対して懸下させることで、通信機器の重さを支えることを特徴とする。
このような通信装置において、懸下手段は、機器側部材と対象物側部材とのいずれか一方が鉤状突起を有し、機器側部材と対象物側部材とのいずれか他方が鉤状突起を引っ掛けられる開口を有することを特徴とすることができる。
また、通信機器と通信機器が取り付けられる取付対象物との間に設けられ、通信機器を懸下させることで、通信機器の重さを支える他の懸下手段を、さらに備え、他の懸下手段は、通信機器に、通信機器の地上側に張り出すように固定される他の機器側部材と、通信機器を取り付ける取付対象物に固定される他の対象物側部材と、を有し、通信機器に固定された他の機器側部材の地上側に張り出した部分において、取付対象物に固定された他の対象物側部材に対して懸下させることで、通信機器の重さを支えることを特徴とすることができる。
そして、他の懸下手段は、機器側部材と対象物側部材とのいずれか一方が地上側に向いた鉤状突起を有し、機器側部材と対象物側部材とのいずれか他方が鉤状突起を引っ掛けられる開口を有することを特徴とすることができる。
【０００７】
他の観点から捉えると、本発明が適用される通信機器取付部材は、通信機器の天頂側に張り出すように固定される機器側部材と、通信機器を取り付ける取付対象物に固定される対象物側部材と、を備え、通信機器に固定された機器側部材の天頂側に張り出した部分において、取付対象物に固定された対象物側部材に対して引っ掛けることで、通信機器の重さを支えることを特徴とする。
このような通信機器取付部材において、機器側部材と対象物側部材とのいずれか一方は、突起を有し、機器側部材と対象物側部材とのいずれか他方は、突起に引っ掛けられる開口を有することを特徴とすることができる。
【０００８】
また、機器側部材と対象物側部材とのいずれか一方の突起を有する部材は、金属板で構成され、突起は、金属板を折り曲げることで構成されていることを特徴とすることができる。
このようにすることで、他の部材を溶接するなどの工程が不要にできる。
【０００９】
そしてまた、機器側部材は、対象物側部材と接する部分に、ボルトが貫通するボルト穴をさらに備え、対象物側部材は、機器側部材のボルトが貫通する他のボルト穴をさらに備えるとともに、ボルトに対応するナットが、他のボルト穴の周りに固着されていることを特徴とすることができる。
このようにすることで、ボルトがより確実に固定できる。
【００１０】
さらに、機器側部材は、取付対象物から通信機器が離れる方向に屈曲していることを特徴とすることができる。
このようにすることで、障害物を避けることなく通信機器を取り付けることができる。
【発明の効果】
【００１１】
本発明によれば、通信機器の設置における作業負荷が軽減できる通信装置及び通信機器取付部材が提供できる。
【図面の簡単な説明】
【００１２】
【図１】第１の実施の形態における通信装置の一例を説明する図である。
【図２】通信装置を地上側の取付部材の側から見た図である。
【図３】取付部材の固定部材における手前側の副固定部材の上面図、正面図、側面図及び下面図である。（ａ）は上面図、（ｂ）は正面図、（ｃ）は側面図、（ｄ）は下面図である。
【図４】取付部材の結合部材の上面図、正面図及び側面図である。（ａ）は上面図、（ｂ）は正面図、（ｃ）は側面図である。
【図５】第１の実施の形態における天頂側の取付部材を、アンテナなしで鋼管柱に取り付けた状態を示す図である。
【図６】天頂側の取付部材を用いてアンテナを鋼管柱に取り付ける手順を説明する図である。（ａ）は、手前側の副固定部材と奥側の副固定部材とを鋼管柱に固定した状態、（ｂ）は、アンテナに取り付けた結合部材の開口を手前側の副固定部材のフックに引っ掛けた状態、（ｃ）は、アンテナに取り付けた結合部材をボルトにて、手前側の副固定部材に固定した状態である。
【図７】取付部材によりアンテナをフランジで継ぎ足された鋼管柱に取り付けた場合の側面図である。
【図８】通信装置の他の一例を説明する図である。
【図９】通信装置のさらに他の一例を説明する図である。
【図１０】天頂側の取付部材を、断面形状が四角形である鋼管柱に取り付けた状態を示す図である。
【図１１】取付部材を、壁に取り付けた状態を示す図である。
【図１２】第２の実施の形態における天頂側の取付部材を、鋼管柱に取り付けた状態を示す図である。
【発明を実施するための形態】
【００１３】
以下、添付図面を参照して、本発明の実施の形態について詳細に説明する。
［第１の実施の形態］
（通信装置１００）
図１は、通信装置１００の一例を説明する図である。ここでは、通信装置１００を天頂側の取付部材１の側から見ている。
通信装置１００は、天頂側（図１において上側）に設けられた取付部材１と、地上側（図１において下側）に設けられた取付部材２と、通信機器の一例としてのアンテナ３とを備える。アンテナ３は、筐体（レドーム）に収容されている。
そして、アンテナ３が、天頂側の取付部材１と地上側の取付部材２とにより、取付対象物の一例としての鋼管柱４に固定されている。
ここでは、鋼管柱４とするが、鋼以外のアルミニウム、ステンレス鋼又は木などで構成された柱であってもよい。
以下では、通信機器をアンテナ３として説明するが、アンテナ３以外の移相器、分配器、フィルタ、増幅器などであってもよい。これらの通信機器には、２０〜４０ｋｇなど重量が大きいものがある。
【００１４】
次に、第１の実施の形態における懸下手段の一例としての取付部材１を説明する。
取付部材１は、副固定部材１１、１２を有する固定部材１０と、結合部材（ブラケット）１３とを備えている。ここで、固定部材１０が、対象物側部材の一例であって、結合部材１３が機器側部材の一例である。
固定部材１０における副固定部材１１、１２は、対になって、鋼管柱４を挟んで対向するように設けられている。副固定部材１１、１２は、断面形状がコ字状となるように曲げられた金属板で構成されている。そして、副固定部材１１、１２は、コ字状の開いている側が、鋼管柱４の外周に対応するように段状に切り取られている（後述する図３参照）。
なお、副固定部材１１には、金属板の一部を折り曲げて設けたフック（鉤状突起）１１４を備えている。
そして、副固定部材１１、１２は、両端部に設けられた穴を貫通して挿入されたボルト１４をナット１５で締め付けることにより、鋼管柱４に接する部分を鋼管柱４の表面に食い込ませることで固定されている。
【００１５】
結合部材１３は、アンテナ３と副固定部材１１との間に設けられている。結合部材１３は、一端部がアンテナ３に固定されている。他端部が副固定部材１１に固定されている。なお、他端部（後述する図５に示す固定側部１３１）は、アンテナ３から外側（図１において上側）に張り出している。
そして、結合部材１３は、設けられた開口１３４が、副固定部材１１に設けられたフック１１４に引っ掛けられるとともに、フック１１４の両脇に設けられた穴（後述する図４の長穴１３５）を介して、挿入されたボルト１６によって、副固定部材１１に固定されている。
【００１６】
取付部材１における固定部材１０の副固定部材１１、１２は、アンテナ３を取り付けるために、鋼管柱４に固定され、結合部材１３は、アンテナ３と副固定部材１１とを結合させて、固定する。
【００１７】
図２は、通信装置１００を地上側の取付部材２の側から見た図である。
取付部材２も、副固定部材１１、１２を備える固定部材１０と、結合部材１３とを備えている。すなわち、副固定部材１１、１２、結合部材１３は、取付部材１と同じである。よって、同じ部分には同じ符号を付して説明を省略する。
ただし、図２に示すように、取付部材２では、結合部材１３は、取付部材１の場合と異なって、上下方向が逆になっている。
【００１８】
図３は、取付部材１の固定部材１０における手前側の副固定部材１１の上面図、正面図、側面図及び下面図である。図３（ａ）は上面図、図３（ｂ）は正面図、図３（ｃ）は側面図、図３（ｄ）は下面図である。
副固定部材１１は、図３（ｂ）の正面図に示すように、正面板１１１、上面板１１２及び下面板１１３を備えている。なお、図３（ｃ）の側面図に示すように、正面板１１１、上面板１１２、下面板１１３は、連続し、断面がコ字状になっている。
正面板１１１には、フック１１４、ボルト穴１１５、１１６、ナット１１７が設けられている。フック１１４は、突起の一例である。
副固定部材１１は、例えば、鉄、ステンレス鋼（ＳＵＳ）、アルミニウムなどの金属板を折り曲げることで構成されている。
【００１９】
正面板１１１に設けられたフック１１４は、図３（ｃ）の側面図に示すように、手前側に飛び出すとともに、上側に折り曲げられている。なお、フック１１４は、正面板１１１に切れ目を入れ、切り離された部分を折り曲げることで構成されている。副固定部材１１を金属板で構成することで、フック１１４は、正面板１１１と一体で構成され、他の部材を取り付けることを要しない。
なお、フック１１４は、先端が折り曲げられた鉤状突起であることを要せず、正面板１１１に立てられた、ボルト、ネジ、棒などの突起であってもよい。すなわち、アンテナ３を引っ掛けることができ、アンテナ３の重さが支えられればよい。
ここで、アンテナ３を引っ掛けるとは、アンテナ３を懸下して保持することをいう。
【００２０】
ボルト穴１１５は、図１に示したボルト１４が貫通できる内径で設けられている。なお、図３においては、ボルト穴１１５は、正面板１１１の両端部にそれぞれ１個設けられている。
【００２１】
正面板１１１の裏面において、ボルト穴１１６の周りにナット１１７が溶接により固着されている。そして、図１に示したボルト１６がボルト穴１１６を通して、ナット１１７にねじ込まれるようになっている。なお、図３においては、ボルト穴１１６及びナット１１７は、フック１１４の両側にそれぞれ１個設けられている。
ナット１１７を溶接することにより、副固定部材１１の裏側（鋼管柱４側）にナット１１７を保持して作業することを要しない。すなわち、ボルト１６のねじ込みが容易に行える。
なお、ナット１１７を設けずに、ボルト穴１１６に雌ねじを切ってもよい。しかし、正面板１１１の厚さが薄い場合、雌ねじが薄くなり、ボルト１６が固く締め付けられないおそれがある。よって、ナット１１７を溶接などにより固着させることが好ましい。
【００２２】
そして、図３（ａ）の上面図に示すように、上面板１１２には、鋼管柱４の外周に沿いやすくするために、凹部１１８が設けられている。なお、図３（ａ）では、凹部１１８は、段状に形成されて、段の先端が鋼管柱４の表面に食い込みやすくなっている。
図３（ｄ）の下面図に示すように、下面板１１３にも、鋼管柱４の外周に沿いやすくするために、凹部１１８と同様な凹部１１９が設けられている。
【００２３】
取付部材１の固定部材１０における奥側の副固定部材１２は、図３に示した副固定部材１１におけるフック１１４、ボルト穴１１６及びナット１１７を備えていないことを除いて、同様の形状である。よって、説明を省略する。
【００２４】
図４は、取付部材１における結合部材１３の上面図、正面図及び側面図である。図４（ａ）は上面図、図４（ｂ）は正面図、図４（ｃ）は側面図である。
結合部材１３は、図４（ｂ）の正面図に示すように、固定側部１３１と、機器側部１３２と、接続部１３３とを備えている。固定側部１３１が、副固定部材１１に取り付けられ、機器側部１３２は、アンテナ３に取り付けられる。そして、接続部１３３は、固定側部１３１と機器側部１３２とを接続する。
接続部１３３は、図４（ｃ）の側面図に示すように、機器側部１３２と固定側部１３１との間を斜めに屈曲させて接続している。これについては、後述する。
結合部材１３も、例えば、鉄、ステンレス鋼（ＳＵＳ）、アルミニウムなどの金属板を折り曲げることで構成されている。
【００２５】
固定側部１３１には、図３（ｂ）に示した、副固定部材１１のフック１１４に引っ掛けられるように、長方形の開口１３４が設けられている。
さらに、固定側部１３１には、副固定部材１１のナット１１７にねじ込まれるボルト１６が貫通する長穴１３５が設けられている。図４（ｂ）では、長穴１３５は、開口１３４を挟んで左右方向に２個設けられている。長穴１３５としたのは、取り付け方によって、穴位置が合わなくなることを避けるためである。また、左右方向に２個設けることで、がたつきが抑制される。
そして、固定側部１３１の幅（図４（ｂ）における左右方向の長さ）は、図３（ｂ）に示した副固定部材１１のボルト穴１１５を塞がない長さに設定されている。
【００２６】
機器側部１３２には、アンテナ３に取り付けるためのボルト穴１３６が設けられている。なお、機器側部１３２の形状、大きさ及びボルト穴１３６の数などは、取り付けるアンテナ３の形状、大きさなどに基づいて設定されればよい。
すなわち、例えばアンテナ３の形状が円筒状である場合には、その形状に合わせて折り曲げる等の加工を追加すればよい。
【００２７】
ここでは、機器側部１３２の幅が、固定側部１３１の幅に比べ、広くなっている。これは、取り付けるアンテナ３の幅が、固定側部１３１より広い場合である。アンテナ３の幅が狭い場合には、機器側部１３２の幅を広くしなくてもよい。また、固定側部１３１の幅が、機器側部１３２の幅に比べて狭くてもよい。機器側部１３２の幅は、取り付けるアンテナ３などの通信機器の幅によって設定すればよい。
【００２８】
図５は、第１の実施の形態における天頂側の取付部材１を、アンテナ３なしで鋼管柱４に取り付けた状態を示す図である。
取付部材１の固定部材１０における副固定部材１１及び副固定部材１２は、鋼管柱４を挟み込むように配置されている。そして、左右方向の２か所において、ボルト１４とナット１５にて締め付けられ、鋼管柱４に固定されている。
取付部材１における結合部材１３の開口１３４が、副固定部材１１のフック１１４に引っ掛けられている。そして、結合部材１３は、ボルト１６が、副固定部材１１のナット１１７（図３（ｃ）参照）にねじ込まれて、副固定部材１１に固定されている。
【００２９】
図６は、天頂側の取付部材１を用いてアンテナ３を鋼管柱４に取り付ける手順を説明する図である。図６（ａ）は、手前側の副固定部材１１と奥側の副固定部材１２とを鋼管柱４に固定した状態、図６（ｂ）は、アンテナ３に取り付けた結合部材１３の開口１３４を手前側の副固定部材１１のフック１１４に引っ掛けた状態、図６（ｃ）は、アンテナ３に取り付けた結合部材１３をボルト１６にて、手前側の副固定部材１１に固定した状態である。
【００３０】
アンテナ３を鋼管柱４に取り付ける手段を順に説明する。ここでは、天頂側の取付部材１について説明する。
まず、アンテナ３の外側に結合部材１３を予め固定して（取り付けて）おく。この作業は、例えばアンテナ３の製造時に行うことができる。また、設置場所で行う場合でも、高所や狭所ではない場所で行うことができる。よって、作業負荷が小さい。
【００３１】
そして、図６（ａ）に示すように、フック１１４が上を向くように副固定部材１１の方向を設定し、副固定部材１１及び副固定部材１２を、アンテナ３を取り付ける鋼管柱４を挟み込むように配置し、ボルト１４を副固定部材１１のボルト穴１１５から、副固定部材１２のボルト穴１２５を通して挿入し、副固定部材１２の外側において、ナット１５で締め付ける。左右２か所において締め付けることで、副固定部材１１と副固定部材１２とが、鋼管柱４に固定される。２か所で締め付けることで、がたつきが抑制される。
ここでは、アンテナ３に比べて軽量である副固定部材１１、１２を、鋼管柱４に取り付けるため、作業負荷が小さい。
【００３２】
次に、図６（ｂ）に示すように、結合部材１３が取り付けられたアンテナ３を、副固定部材１１の近傍に持ち上げ、結合部材１３の開口１３４を、副固定部材１１のフック１１４に引っ掛ける。引っ掛けると、アンテナ３の重さは副固定部材１１のフック１１４によって支えられるので、もはや作業者はアンテナ３の重さを支え続けることを要しない。
ここでは、結合部材１３の開口１３４を、フック１１４に引っ掛ければよいので、アンテナ３が重くても、作業負荷が小さい。
そして、結合部材１３の開口１３４を副固定部材１１のフック１１４に引っ掛けた後は、作業者がアンテナ３を支えることを止めてもよい。
また、作業者がアンテナ３を支えるとしても、結合部材１３の開口１３４が副固定部材１１のフック１１４から外れないよう支えたり、アンテナ３の位置が移動しないように支えたりすればよい。これらの場合、作業者は、アンテナ３の重さを支えるのではないため、作業負荷が小さい。
【００３３】
そして、図６（ｃ）に示すように、ボルト１６を、結合部材１３の長穴１３５に挿入し、副固定部材１１に取り付けられたナット１１７にねじ込む。結合部材１３を副固定部材１１に固定することで、アンテナ３が鋼管柱４に取り付けられる。ここでも、２か所で締め付けることで、がたつきが抑制される。
このとき、アンテナ３の重さは、結合部材１３を介して副固定部材１１のフック１１４によって支えられているので、作業者がアンテナ３の重さを支え続けることを要しない。よって、作業負荷が小さい。
【００３４】
なお、地上側に取付部材２を用いる場合は、上記の取付部材１に対する手順を並行して、取付部材２について行えばよい。
【００３５】
天頂側の取付部材１と地上側の取付部材２とを並行して用いる場合、天頂側の取付部材１のフック１１４と開口１３４との位置合わせと、地上側の取付部材２のフック１１４と開口１３４との位置合わせとを、予め行っておくことが必要となる。しかし、これらの位置合わせを予め行っておくことが難しい場合がある。
このような場合には、天頂側の取付部材１によりアンテナ３を取り付けた後、アンテナ３に地上側の取付部材２を取付ければよい。アンテナ３の重さは、天頂側の取付部材１で支えられているので、地上側の取付部材２は、取付部材２のフック１１４と開口１３４との位置合わせを行いながら、容易に取り付けられる。
【００３６】
また、地上側の取付部材２によりアンテナ３を取り付けた後、天頂側の取付部材１を取り付けてもよい。この場合、地上側の取付部材２のフック１１４に開口１３４を引っ掛けることで、アンテナ３の重量が支えられる。しかし、ボルト１６により結合部材１３を副固定部材１１に固定する前では、アンテナ３が倒れるおそれがある。これを抑制するため、作業者がアンテナ３を支えることになっても、アンテナ３の重さは取付部材２のフック１１４によって支えられているので、作業負荷が小さい。
【００３７】
なお、フック１１４は必ずしも天頂側の取付部材１及び地上側の取付部材２の両方に必要というわけではなく、取付部材１と取付部材２とのいずれか一方に設けられていてもよい。
【００３８】
図７は、取付部材１、２によりアンテナ３をフランジ４２で継ぎ足された鋼管柱４に取り付けた場合の側面図である。
ここでは、鋼管柱４は、２本の鋼管４１がフランジ４２においてボルト４３とナット４４とで継ぎ足されている（繋がれている）。このため、フランジ４２の部分が飛び出している。
このような場合、フランジ４２の部分を除外して、アンテナ３を鋼管柱４に固定することが考えられる。しかし、この場合には、アンテナ３を取り付ける位置が制限されてしまう。
ここでは、結合部材１３の接続部１３３を斜めに屈曲させているので、フランジ４２の部分を跨いでアンテナ３を取り付けることができる。
また、例え、フランジ４２で繋がれた鋼管柱４に設置する場合でなくとも、結合部材１３の接続部１３３を斜めにしておくことで、設置作業において、アンテナ３が鋼管柱４に接触してアンテナ３に衝撃が加えられることが抑制できる。
【００３９】
図８は、通信装置１００の他の一例を説明する図である。ここでは、図１に示した通信装置１００において、地上側の取付部材２におけるフック１１４及び開口１３４を備えていない。
【００４０】
天頂側の取付部材１によりアンテナ３を取り付けた後、アンテナ３に地上側の取付部材２を取付ける場合、アンテナ３の重さは、天頂側の取付部材１で支えられている。よって、地上側の取付部材２は、アンテナ３の重量を支えることを要しない。すなわち、ボルト１６で結合部材１３と副固定部材１１とを固定すればよく、フック１１４及び開口１３４を備えなくともよい。
【００４１】
図９は、通信装置１００のさらに他の一例を説明する図である。ここでは、図１に示した通信装置１００において、地上側の取付部材２におけるフック１１４の方向が逆になっている。
すなわち、図１に示した通信装置１００と図９に示した通信装置１００とにおいて、天頂側の取付部材１におけるフック１１４の方向は、共に天頂側に向かっている。しかし、地上側の取付部材２におけるフック１１４の方向は、図１では天頂側に向かい、図９では地上側に向かっている。
【００４２】
図９の通信装置１００では、図６に示したアンテナ３を鋼管柱４に取り付ける手順により、天頂側の取付部材１を用いて、取付部材１における副固定部材１１のフック１１４を結合部材１３の開口に引っ掛けて、アンテナ３を鋼管柱４に取り付ける。
その後、地上側の取付部材２の固定部材１０（副固定部材１１、１２）を鋼管柱４に取り付ける。このとき、副固定部材１１のフック１１４を地上側に向けるとともに、取付部材２の結合部材１３の開口１３４の下端に引っ掛かるように設定する。そして、ボルト１４で、副固定部材１１、１２を固定する。さらに、ボルト１６で、結合部材１３を副固定部材１１に固定する。
【００４３】
アンテナ３は天頂側の取付部材１における副固定部材１１のフック１１４と、地上側の取付部材２における副固定部材１１のフック１１４とが、背中合わせの状態となっている。
よって、例え、天頂側の取付部材１のボルト１６が外れ、さらに、地上側の取付部材２のボルト１６が外れても、アンテナ３は、取付部材１における副固定部材１１のフック１１４及び地上側の取付部材２における副固定部材１１のフック１１４から外れることが抑制される。すなわち、天頂側の取付部材１及び地上側の取付部材２において、ボルト１６が外れても、アンテナ３が、手前側（鋼管柱４から離れる側）に落下することが抑制される。
【００４４】
なお、地上側の取付部材２において、副固定部材１１に開口１３４を設け、結合部材１３にフック１１４を設けてもよい。
【００４５】
以上説明したように、天頂側の取付部材１を用いたアンテナ３の鋼管柱４への設置作業は、副固定部材１１、１２の取付けと、アンテナ３の副固定部材１１への取付けとの２段階で行われる。しかし、副固定部材１１、１２の取付けは、軽量の副固定部材１１、１２を鋼管柱４に取り付ける作業であるため、作業負荷が小さい。そして、アンテナ３の取付けは、副固定部材１１のフック１１４に結合部材１３の開口１３４を引っ掛ける作業と、結合部材１３を副固定部材１１へボルト１６で固定する作業である。これらの作業は、作業者が重量のあるアンテナ３を支え続けて行うことを要しない。よって、作業負荷が小さい。
すなわち、アンテナ３を２段階で取り付けるとしても、作業者が重量のあるアンテナ３を支え続けて設置する場合に比べて、作業負荷が軽減される。
また、副固定部材１１とそれに対応した結合部材１３とを使用するため、ボルト１６の取付け位置が予め設定されている。よって、作業負荷がさらに軽減される。
【００４６】
（取付部材１の変形例）
上記では、外形が円柱である鋼管柱４にアンテナ３を取り付けた。このため、取付部材１の固定部材１０における副固定部材１１は、円柱である鋼管柱４の外周に沿いやすいように、上面板１１２に段状の凹部１１８及び下面板１１３に段状の凹部１１９が設けられていた。また、副固定部材１２も、同様であった。
ここでは、外形が四角形である鋼管柱４にアンテナ３を取り付けるための、取付部材１を説明する。
【００４７】
図１０は、天頂側の取付部材１を、断面が四角形である鋼管柱４に取り付けた状態を示す図である。アンテナ３などの通信機器は記載していない。
取付部材１における副固定部材１１が鋼管柱４の側面に、副固定部材１２が鋼管柱４の対向する側面に配置されている。そして、副固定部材１１と副固定部材１２とは、左右方向の２か所において、ボルト１４とナット１５にて締め付けられ、鋼管柱４に固定されている。
そして、取付部材１の副固定部材１１は、設けられた凹部（図３における凹部１１８、１１９に対応する部分）の形状が、鋼管柱４の断面形状に合わせて四角形になっている。
ここでも、副固定部材１１は、例えば、鉄、ステンレス鋼（ＳＵＳ）、アルミニウムなどの金属板を折り曲げることで構成されている。
副固定部材１２も同様である。
また、鋼管柱４などのアンテナ３を取り付ける柱の断面が円形、四角形以外の形状であっても、副固定部材１１、１２の凹部の形状を、柱の断面形状に合わせて設定すればよい。
【００４８】
上記においては、アンテナ３を鋼管柱４などの柱に取り付けた。次に、アンテナ３をビルなどの取付対象物の他の一例としての壁（壁面）に取り付けるための取付部材５を説明する。ここで、取付部材５は、懸下手段の他の一例である。
【００４９】
図１１は、取付部材５を、壁に取り付けた状態を示す図である。アンテナ３などの通信機器は記載していない。
取付部材５は、壁に取り付けられアンテナ３などの通信機器を保持する固定部材５１と、アンテナ３などの通信機器を固定部材５１に結合させる結合部材１３とを備えている。なお、結合部材１３は、図４に示したと同様である。ここで、固定部材５１は、対象物側部材の他の一例である。
固定部材５１は、一例として、板状であって、壁（不図示）の表面に取り付けられている。固定部材５１は、例えば、鉄、ステンレス鋼（ＳＵＳ）、アルミニウムなどの金属板で構成されている。
そして、固定部材５１には、図３（ａ）、（ｂ）、（ｃ）、（ｄ）に示した副固定部材１１のフック１１４と同様にして設けられたフック５１２が設けられている。なお、固定部材５１には、図３（ｃ）に示したボルト穴１１６及びナット１１７と同様に設けられたボルト穴及びナットを備えている。すなわち、ナットは、ボルト穴の周りに溶接されている。
固定部材５１に設けられたフック５１２は、手前側に飛び出すとともに、上側に折り曲げられている。なお、フック５１２は、固定部材５１に切れ目を入れ、切り離された部分を折り曲げることで構成されている。このように、フック５１２は、固定部材５１と一体で構成され、他の部材を取り付けることを要しない。
なお、フック５１２は、固定部材５１に立てられたボルト、ネジ、棒などであってもよい。
【００５０】
そして、固定部材５１のフック５１２に、結合部材１３の開口１３４が引っ掛けられ、ボルト１６が固定部材５１に設けられたナットにねじ込まれることで、固定されている。
【００５１】
なお、図１１には、図示していないが、固定部材５１は、周囲に設けられたボルト穴（不図示）を介して、壁に固定されてもよく、固定部材５１が壁の中に塗り込められて固定されてもよい。
【００５２】
アンテナ３の設置にあたっては、まず、固定部材５１を壁に取り付ける。次いで、固定部材５１のフック５１２に、アンテナ３（不図示）に取り付けられた結合部材１３の開口１３４を引っ掛ける。そして、結合部材１３を固定部材５１にボルト１６により固定する。
以上説明したように、取付部材１を用いたアンテナ３の壁への設置作業は、固定部材５１の壁への取付けと、アンテナ３の固定部材５１への取付けとの２段階で行われる。
しかし、アンテナ３を２段階で取り付けるとしても、作業者が重量のあるアンテナ３を支え続けて設置する場合に比べて、作業負荷が軽減される。
また、固定部材５１とそれに対応した結合部材１３とを使用するため、ボルト１６の取付け位置が予め設定されている。よって、作業負荷がさらに軽減される。
【００５３】
取付部材１におけるフック１１４、取付部材５におけるフック５１２は１個としたが、複数としてもよい。フック１１４、５１２を複数用いる場合には、左右方向に並べて配置することが好ましい。また、取付部材２においても同様である。
【００５４】
［第２の実施の形態］
第１の実施の形態における取付部材１、２は、鋼管柱４に取付けられる固定部材１０（副固定部材１１）にフック１１４が設けられ、アンテナ３に取付けられる結合部材１３に開口１３４が設けられていた。そして、固定部材１０（副固定部材１１）のフック１１４に、結合部材１３の開口１３４を引っ掛けることで、アンテナ３の重さを支えるようになっていた。
【００５５】
第２の実施の形態では、天頂側の取付部材１における固定部材１０（副固定部材１１）に開口（後述する開口１２０）を設け、アンテナ３に取付けられる結合部材１３にフック（後述するフック１３７）を設けている。
他の構成は、第１の実施の形態と同様であるので、異なる部分である取付部材１における固定部材１０（副固定部材１１、１２）及び結合部材１３を説明する
【００５６】
図１２は、第２の実施の形態における天頂側の取付部材１を、鋼管柱４に取り付けた状態を示す図である。アンテナ３などの通信機器は記載していない。
図１２に示すように、取付部材１における副固定部材１１は、上面板１１２に、開口１２０が設けられている。そして、図３、５に示した第１の実施の形態におけるフック１１４を備えていない。
一方、取付部材１における結合部材１３は、固定側部１３１が延伸されるとともに、折り曲げられてフック１３７を構成している。そして、図４、５に示した開口１３４を備えていない。フック１３７が突起の他の一例である。
そして、結合部材１３のフック１３７が、副固定部材１１の開口１２０に引っ掛けられている。
【００５７】
地上側に設ける取付部材２を、取付部材１と同様の構成としてもよく、図８に示した開口１３４及びフック１１４を備えない取付部材２としてもよい。また、地上側に取付部材２を設けなくてもよい。
【００５８】
なお、第２の実施の形態における取付部材１の開口１２０、フック１３７を１個としたが、複数に分割して設けてもよい。フック１３７を複数に分割した場合、開口１２０は複数のフック１３７が挿入できるように構成された１個でも構わない。開口１２０にフック１３７が引っ掛けられることで、アンテナ３の重さが支えられればよい。
【００５９】
第１の実施の形態及び第２の実施の形態では、固定部材１０における副固定部材１１、１２は金属板を折り曲げて構成されていた。しかし、副固定部材１１、１２を金属や樹脂などのブロックで形成してもよい。この場合、図３に示した金属板で構成された副固定部材１１における上面板１１２と下面板１１３との間の空隙が埋められた形状とすればよい。
【００６０】
本発明の趣旨に反しない限りにおいて様々な変形例の組み合わせを行っても構わない。
【符号の説明】
【００６１】
１、２、５…取付部材、３…アンテナ、４…鋼管柱、１０、５１…固定部材、１１、１２…副固定部材、１３…結合部材、１４、１６、４３…ボルト、１５、４４、１１７…ナット、１００…通信装置、１１４、１３７、５１２…フック、１１５、１１６、１２５、１３６…ボルト穴、１３１…固定側部、１３２…機器側部、１３３…接続部、１２０、１３４…開口
【要約】
【課題】通信機器の設置における作業負荷が軽減できる通信装置及び通信機器取付部材を提供する。
【解決手段】通信装置１００は、通信機器の一例としてのアンテナ３と、アンテナ３とアンテナ３が取り付けられる取付対象物の一例としての鋼管柱４との間に設けられ、アンテナ３を懸下させることで、アンテナ３の重さを支える通信機器取付部材の一例としての取付部材１とを備えている。
【選択図】図１【図１】
0005964470.tif 000002
【図２】
0005964470.tif 000003
【図３】
0005964470.tif 000004
【図４】
0005964470.tif 000005
【図５】
0005964470.tif 000006
【図６】
0005964470.tif 000007
【図７】
0005964470.tif 000008
【図８】
0005964470.tif 000009
【図９】
0005964470.tif 000010
【図１０】
0005964470.tif 000011
【図１１】
0005964470.tif 000012
【図１２】
0005964470.tif 000013